(57)【要約】【課題】強力な洗剤や使用済み歯ブラシを使用することなく、特にトイレにおける便器と便座との隙間、便器と床との隙間および床と壁との隙間など、種々の隙間の頑固な汚れをより簡便にかつ気持ちよく除去することができる掃除用ツールを提供する。【解決手段】洗剤および当該洗剤を含むスプレー本体を具備する洗浄スプレーとともに用いられ、洗剤が噴射された隙間状の被洗浄部分から汚れを拭き取るための、繊維質の使い捨てスティックと、当該使い捨てスティックを少なくとも１個および上記洗浄スプレーを含むすきまクリーナーセットと、を提供する。【選択図】図１
0003137014.tif 000002
【実用新案登録請求の範囲】
【請求項１】
洗剤および前記洗剤を含むスプレー本体を具備する洗浄スプレーとともに用いられ、
前記洗剤が噴射された隙間状の被洗浄部分から汚れを拭き取るための、繊維質の使い捨てスティック。
【請求項２】
短冊形状を有すること、を特徴とする請求項１に記載の使い捨てスティック。
【請求項３】
一端において斜めに切断された鋭角部分を有すること、を特徴とする請求項２に記載の使い捨てスティック。
【請求項４】
ＪＩＳ硬度計  Ａ型、荷重１ｋｇによる硬度が、４０〜８０であること、を特徴とする請求項１〜３のうちのいずれかに記載の使い捨てスティック。
【請求項５】
ポリエステル製不織布の積層融着体で構成されていること、を特徴とする請求項１〜４のうちのいずれかに記載の使い捨てスティック。
【請求項６】
請求項１〜５のうちのいずれかに記載の使い捨てスティック少なくとも１個と、
洗剤および前記洗剤を含むスプレー本体を具備する洗浄スプレーと、
を具備することを特徴とするすきまクリーナーセット。
【請求項７】
前記洗剤が、脂肪酸塩からなるセッケン成分と、アルコール成分と、を含むこと、を特徴とする請求項６に記載のすきまクリーナーセット。
【考案の詳細な説明】
【技術分野】
【０００１】
本考案は、特に便器と便座との隙間、便器と床との隙間、および床と壁との隙間などの、トイレにおける隙間の汚れを落とすために好適な使い捨てスティックおよびこれを含むすきまクリーナーセットに関する。
【背景技術】
【０００２】
トイレにおける便器、その関連機器、床および壁などは、そのまま放置しておくと汚れが蓄積して悪臭を放ち、使用者に不快感を覚えるばかりでなく環境としても好ましいものではない。特に、便器と便座との隙間、便器と床との隙間、および床と壁との隙間などの、種々の隙間には、アンモニアや埃が溜まって固着し、頑固な汚れが蓄積され易い。
【０００３】
このような隙間を洗浄して頑固な汚れを除去する方法としては、従来から、トイレの便器や床を掃除するために用いられる通常のトイレ用の洗剤および道具が使用されている。例えば、液体状またはゲル状の洗剤と、例えば雑巾、モップ、使い捨て紙雑巾または使用済み歯ブラシなどの道具と、が使用されている。
【０００４】
なかでも、頑固な汚れをできるだけ綺麗に除去するために、洗剤としては、例えば塩酸系、次亜塩素酸ナトリウム系およびアルデヒド系などの強力な洗剤が使用され、道具としては、隙間に入り込んで汚れをかき取り得る使用済み歯ブラシが使用されていることが多い。
【考案の開示】
【考案が解決しようとする課題】
【０００５】
しかしながら、上記の塩酸系の洗剤は、アルカリ性物質との反応により塩素を発生するので人体に好ましくなく、次亜塩素酸ナトリウム系の洗剤も、悪臭物などの悪臭源に反応する際に塩素を発生するため、塩酸系の洗剤と同様に好ましくない。また、アルデヒド系の洗剤は、便器や便座などのトイレを構成する材料に悪影響を与えることが考えられる。
【０００６】
一方、使用済み歯ブラシを常にストックしておくことは必ずしも容易ではなく、一度トイレ掃除に使用した使用済み歯ブラシを保管する場所や方法に困ることがある。また、一度トイレ掃除に使用して汚れた使用済み歯ブラシを再度使用することには、使用者にとっては抵抗がある場合もある。
【０００７】
そこで、本考案の目的は、従来のような強力な洗剤や使用済み歯ブラシを使用することなく、特にトイレにおける便器と便座との隙間、便器と床との隙間および床と壁との隙間など、種々の隙間の頑固な汚れをより簡便にかつ気持ちよく除去することができる掃除用ツールを提供することにある。
【課題を解決するための手段】
【０００８】
上記のような課題を解決すべく、本考案は、
洗剤および前記洗剤を含むスプレー本体を具備する洗浄スプレーとともに用いられ、
前記洗剤が噴射された隙間状の被洗浄部分から汚れを拭き取るための、繊維質の使い捨てスティックを提供する。
また、本考案は、
上記使い捨てスティックを少なくとも１個と、
洗剤および前記洗剤を含むスプレー本体を具備する洗浄スプレーと、を具備すること、を特徴とするすきまクリーナーセットを提供する。
【０００９】
このような構成によれば、人体および便器や便座などのトイレを構成する材料に悪影響を与えることのない洗剤を用い、かつ、掃除の度に新しい使い捨てスティックを用いることができるため、トイレにおける種々の隙間の頑固な汚れを簡便にかつ気持ちよく除去することができる。すなわち、洗剤の組成（材料）と、使い捨てスティックの材料および形態と、が一体不可分となって、このように従来にはなかった顕著な効果を得ることができる。
【００１０】
上記使い捨てスティックは短冊形状を有することが好ましい。このような形状によれば、使用者が手で持って使用し易い。
【００１１】
また、上記使い捨てスティックは、短冊形状のうちの一端において斜めに切断された鋭角部分を有することが好ましい。このような形状によれば、鋭角部分が被洗浄部分である隙間に入り込み易く、より確実に隙間の汚れを除去することができる。
【００１２】
さらに、上記使い捨てスティックは、ＪＩＳ硬度計  Ａ型、荷重１ｋｇによる硬度が４０〜８０であることが好ましい。このような硬度を有すれば、使い捨てスティックに充分な強度を持たせることができ、掃除中に使い捨てスティックが折れてしまったりすることを確実に抑制することができる。
【００１３】
また、上記使い捨てスティックは、ポリエステル製不織布の積層体で構成されていることが好ましい。このような構成によれば、使い捨てスティックに充分な強度をより確実に持たせることができ、掃除中に使い捨てスティックが折れてしまったりすることをより確実に抑制することができる。
【００１４】
また、上記洗剤が、脂肪酸塩からなるセッケン成分と、アルコール成分と、を含むことが好ましい。このような構成によれば、洗剤の組成（材料）と、使い捨てスティックの材料および形態と、が一体不可分となって、人体および便器や便座などのトイレを構成する材料に著しい悪影響を与えることのなく、トイレにおける種々の隙間の頑固な汚れを簡便にかつ気持ちよく除去することができる、という従来にはなかった顕著な効果を得ることができる。
【考案の効果】
【００１５】
本考案のすきまクリーナーセットによれば、従来のような強力な洗剤や使用済み歯ブラシを使用することなく、特にトイレにおける便器と便座との隙間、便器と床との隙間および床と壁との隙間など、種々の隙間の頑固な汚れをより簡便にかつ気持ちよく除去することができる。
【考案を実施するための最良の形態】
【００１６】
以下に、図面を参照しながら本考案について詳細に説明するが、本考案はこれらのみに限定されるものではない。図１は、本考案のすきまクリーナーセットの一実施の形態の構成を示す概略斜視図である。
【００１７】
図１に示すように、本実施の形態に係るすきまクリーナーセット１は、洗浄スプレー３０と少なくとも１個の使い捨てスティック２０とを具備する。ただし、図１においては、便宜上、使い捨てスティック２０を１個だけ図示している。
【００１８】
（１）使い捨てスティックについて
本考案における使い捨てスティック２０は、繊維質であり、後述する本考案における洗浄スプレー３０から隙間状の被洗浄部分に噴射された洗剤とともに、当該被洗浄部分の汚れを拭き取るためのものである。
【００１９】
図１に示す使い捨てスティック２０を、当該使い捨てスティック２０の主面の略法線方向から見た図を図２に示す。すなわち、図２は使い捨てスティック２０の概略上面図である。図１および図２に示すように、この使い捨てスティック２０は、所定の厚みを有し、その主面は、ほぼ４角がすべて略９０℃で二対の対辺同士が略同一の長さを有する矩形（rectangle）の形状を有する。
【００２０】
このような形状を有する使い捨てスティック２０は、使用者が手で持って使用し易く、本考案のすきまクリーナーセット１に複数個含まれていることから、掃除の度に新しい使い捨てスティックを用いることができるため、トイレ掃除の度に種々の隙間の頑固な汚れを気持ちよく除去することができる。
【００２１】
使い捨てスティック２０は、ポリエステル（例えばポリエチレンテレフタレート（ＰＥＴ）など）製不織布複数枚（例えば５〜１０枚）を積層して熱融着して得られる積層融着体で構成されている。したがって、使い捨てスティック２０にある程度の強度を持たせることができ、掃除中に使い捨てスティック２０が折れてしまったりすることを確実に抑制することができる。
【００２２】
また、使い捨てスティック２０の具体的な硬度について、ＪＩＳ硬度計  Ａ型を用いて荷重１ｋｇの条件で測定した硬度が４０〜８０であることが好ましい。この範囲の硬度を有していれば、掃除中に使い捨てスティック２０が折れてしまったりすることをより確実に抑制することができる。この硬度の範囲は、使い捨てスティック２０の厚みなどに応じて適宜変更することができる。例えば厚みが３ｍｍの場合の硬度は４０〜６０であればよく、厚みが６ｍｍの場合の硬度は６０〜８０であればよいが、これらのみに限定されるものではない。
【００２３】
また、上記のようなポリエステル製の使い捨てスティック２０は、乾燥状態においてある程度の強度を有するとともに、洗剤を含んだ状態においてもその強度がほとんど低下しないため、掃除中に使い捨てスティック２０が折れてしまったりすることをより確実に抑制することができる。
【００２４】
例えば、融点の異なる複数種のポリエステル繊維を含むポリエステル製不織布を複数枚重ねて積層体とし、当該積層体を熱融着して得られる積層融着体で、使い捨てスティック２０を構成してもよい。このような構成にすれば、融点の低いポリエステル繊維によって不織布同士がより確実に熱融着し、使い捨てスティック２０の表面に存在する融点の高いポリエステル繊維の毛羽立ちによってより好ましい洗浄効果を得ることができる。
【００２５】
また、上記のような積層熱融着体を用いれば、積層熱融着体の表面を樹脂などでコーティングしなくても不織布同士を接合させて使い捨てスティック２０を得ることができ、いわゆるアルデヒドフリーという観点からも好ましい。
【００２６】
なお、ポリエステル繊維の少なくとも一部をあらかじめ染色しておくことにより、使い捨てスティック２０に色を持たせることができる。例えば全ポリエステル繊維の約１０％だけを紺色に染色して不織布および積層体を作製すれば、使い捨てスティック２０の色を薄い水色ないしはグレーとすることができる。
【００２７】
上記のような不織布は、従来公知の方法で作製することができる。例えば、接着法、ニードルパンチ法などの機械結合法、スパンボンド法およびステッチボンド法などの乾式法、ならび抄紙法などの湿式法が挙げられる。
【００２８】
使い捨てスティック２０の寸法は、使用者が手に持って使用し易く、被洗浄部分である隙間に入り込み易い限りにおいて種々の値に設定すればよいが、例えば長さ６ｃｍ〜１２ｃｍ、幅１０ｍｍ〜２０ｍｍ、厚み２ｍｍ〜１０ｍｍとすればよい。
【００２９】
ここで、図３は使い捨てスティックの第一の変形例の概略上面図である。図３に示す使い捨てスティック２２は、所定の厚みを有し、短冊形状のうちの一端において斜めに切断された鋭角部分２２ａを有する。
【００３０】
より具体的には、使い捨てスティック２２の主面は、直角部分を有する台形（right-angled trapezium）の形状を有する。このような形状によれば、鋭角部分２２ａが被洗浄部分である隙間に入り込み易く、より確実に隙間の汚れを除去することができる。
【００３１】
また、図４は使い捨てスティックの第二の変形例の概略上面図である。図４に示す使い捨てスティック２４は、所定の厚みを有し、短冊形状のうちの一端において斜めに切断された鋭角部分２４ａを有する点において上記第一の変形例と同じである。
【００３２】
しかし、使い捨てスティック２４は、鋭角部分２４ａの先端の角が落とされた切断部分２４ｂを有している点に特徴を有する。このような形状によれば、掃除中に使い捨てスティック２４の鋭角部分２４ａの先端に余計な力がかからず、使い捨てスティック２４が折れてしまうことや不織布が剥離してしまうことを、より確実に抑制することができる。
【００３３】
（２）洗浄スプレーについて
上記のような本実施の形態に係る使い捨てスティックとともに用いられる洗浄スプレー３０は、洗剤を含むスプレー本体３２およびスプレーノズルを内蔵するスプレーボタン３４を具備する。
【００３４】
本考案における洗剤は、人体および便器や便座などのトイレを構成する材料に著しい悪影響を与えることのない成分を含むものであればよいが、上記使い捨てスティックと併用するため、人体および環境に優しい「弱い」洗剤を好適に用いることができる。
【００３５】
例えば、洗剤のｐＨは中性付近でも構わず、含まれる界面活性剤の極性は低くても構わない。また、洗剤に含まれる界面活性剤の濃度は低くてもよく、発泡成分を用いれば洗浄時の洗剤使用量（濃度）が低くてもかまわない。
【００３６】
本考案において好適に用いることのできる洗剤は、例えば脂肪酸塩からなるセッケン成分と、アルコール成分と、を含むことが好ましい。また、洗浄効果が向上するという観点から、噴射した際に泡状になる洗剤を用いるのが好ましい。
【００３７】
上記セッケン成分は、洗剤における洗浄成分であるとともに、噴射された洗剤を発泡させる役割を果たすものであり、単独のまたは任意に組み合わせた脂肪酸塩を主成分とするが、本考案の効果を損なわない範囲でその他のセッケン成分を含んでもよい。脂肪酸塩は脂肪酸にアルカリを加えて得られ、上記脂肪酸としては、飽和脂肪酸や不飽和脂肪酸などの種々の脂肪酸を用いることができる。
【００３８】
飽和脂肪酸としては、例えばカプリル酸（オクタン酸）、ペラルゴン酸（ノナン酸）、カプリン酸（デカン酸）、ウンデシル酸（ウンデカン酸）、ラウリン酸（ドデカン酸）、トリデシル酸（トリデカン酸）、ミリスチン酸（テトラデカン酸）、ペンタデシル酸（ペンタデカン酸）、パルミチン酸（ヘキサデカン酸）、ヘプタデシル酸（ヘプタデカン酸）、ステアリン酸（オクタデカン酸）、ノナデカン酸、アラキン酸（イコサン酸）、ヘンイコサン酸、ベヘン酸（ドコサン酸）などの炭素数８〜２２の飽和脂肪酸が挙げられる。
【００３９】
また、不飽和脂肪酸としては、例えばウンデシレン酸（１０−ウンデセン酸）、オレイン酸（シス−９−オクタデセン酸）、エライジン酸（トランス−９−オクタデセン酸）、リノール酸（シス−９，シス−１２−オクタデカジエン酸）、リノエライジン酸（トランス−９，トランス−１２−オクタデカジエン酸）、α−リノレン酸（９，１２，１５−オクタデカトリエン酸）、γ−リノレン酸（６，９，１２−オクタデカトリエン酸）、ステアロール酸（９−オクタデシン酸）、アラキドン酸（シス−５，８，１１，１４−エイコサテトラエン酸）、エルカ酸（シス−１３−ドコセン酸）、ブラシジン酸（トランス−１３−ドコセン酸）、セトレイン酸（１１−ドコセン酸）などの炭素数８〜２２の不飽和脂肪酸などが挙げられる。
【００４０】
また、上記脂肪酸塩としては、上記脂肪酸の、例えばリチウム塩、ナトリウム塩、カリウム塩、トリエタノールアミン塩、ジエタノールアミン塩およびモノエタノールアミン塩などが挙げられる。なかでもカリウム塩が好ましい。
【００４１】
本考案におけるアルコール成分は、洗剤における洗浄成分であるとともに、噴射された洗剤を発泡させる役割を果たすものであり、上記セッケン成分を洗剤中に溶解または分散させるものであり、従来から洗剤に用いられているアルコール（例えば炭素数２または３の一価、二価または三価のアルコール）を単独でまたは任意に組み合わせて用いることができる。
【００４２】
炭素数２または３の一価アルコールとしては、例えばエタノール、１−プロパノールおよび２−プロパノール（イソプロピルアルコール）などが挙げられ、炭素数２または３の二価アルコールとしては、例えばエチレングリコール、プロピレングリコールおよびトリメチレングリコール（１，３−プロパンジオール）などが挙げられ、炭素数２または３の三価アルコールとしては、例えばグリセリンなどが挙げられる。なかでも、エタノールおよびプロピレングリコールを併用するのが好ましい。
【００４３】
上記洗剤は、上記セッケン成分およびアルコール成分以外に、必須の成分として水を含み、また、任意の成分として、例えば香料、消臭剤、抗菌剤および界面活性剤（上記セッケン成分を除く。）などを含んでもよい。
【００４４】
香料としては、例えばハッカ油、オレンジ油、レモン油、マンダリン油、ライム油、ベンガモット油、カラウェー油、ウイキョウ油、セロリー種子油、カルダモン油、キャロット種子油およびグレープフルーツ油などが挙げられる。
【００４５】
また、消臭剤としては、例えば緑茶などの各種植物の抽出物などが挙げられ、界面活性剤としては、例えばアニオン界面活性剤（上記セッケン成分を除く。）およびノニオン界面活性剤などが挙げられる。
【００４６】
アニオン界面活性剤（上記セッケン成分を除く。）としては、例えばアミノ酸系および、硫酸エステル塩系などのアニオン界面活性剤が挙げられ、ノニオン界面活性剤としては、例えばアルキルグルコシド型（アルキルポリグルコシド）、ポリエチレングリコール型および多価アルコール型などのノニオン界面活性剤が挙げられる。
【００４７】
本考案における上記洗剤は、上記各成分を本考案の効果を損なわない範囲で種々の組成比で含むことができ、従来公知の方法によって製造することができる。また、人体および環境に優しい「弱い」洗剤であれば好適に用いることができ、上記の洗剤の他にも、例えばポリオキシエチレンソルビタン脂肪酸エステル、クエン酸ナトリウムおよびメチルポリシロヘキサンを含む洗剤などを用いることもできる。
【００４８】
スプレー本体３２には、上記洗剤が充填されているが、洗浄効果が向上するという観点から、噴射した際に勢いよく泡状になる洗剤を用いるのが好ましいため、上記洗剤を高圧ガス（ＬＰＧ）でスプレー本体３２に充填されているのが好ましい。
【００４９】
以上、本考案の代表的な実施の形態について説明したが、本考案はこれらのみに限定されるものではなく、実用新案登録請求の範囲に記載されている本考案の技術的思想の範囲において種々の設計変更が可能である。
【００５０】
例えば、上記実施の形態においては、ポリエステル製不織布の積層体で構成された使い捨てスティックについて説明したが、使い捨てスティックは繊維質であればよく、その他の材料で構成することも可能である。ポリエステル以外の合成繊維、再生繊維または半合成繊維で使い捨てスティックを構成してもよい。使い捨てスティックは、例えば紙で構成されていてもよい。
【００５１】
また、上記実施の形態においては、短冊形状の使い捨てスティックについて説明したが、本考案に係る使い捨てスティックの形状は当該形状に限定されるわけではなく、例えば棒状、角柱状および円柱状などであっても構わない。そして、これら棒状、角柱状および円柱状などの形状を有する場合、その先端に上述のような鋭角部分や切断部分を有していてもよい。
【産業上の利用可能性】
【００５２】
本考案のすきまクリーナーセットによれば、従来のような強力な洗剤や使用済み歯ブラシを使用することなく、特にトイレにおける便器と便座との隙間、便器と床との隙間および床と壁との隙間など、種々の隙間の頑固な汚れをより簡便にかつ気持ちよく除去することができる。
【００５３】
また、本考案のすきまクリーナーセットは、トイレだけではなく、流し台や洗面所などのいわゆる水周りにおける掃除に好適に用いることが考えられる。さらに本考案のすきまクリーナーセットは、発泡成分を含む洗剤を用いることから、当該発泡成分の量を制御することによって起泡力を高めればごみや埃を浮き上がらせる効果を向上させることができ、したがって例えばサッシの溝などを洗浄するクリーナーとしての適用も考えられる。
【図面の簡単な説明】
【００５４】
【図１】本考案のすきまクリーナーセットの一実施の形態の構成を示す概略斜視図である。
【図２】図１に示す使い捨てスティック２０の概略上面図である。
【図３】本考案における使い捨てスティックの第一の変形例の概略上面図である。
【図４】本考案における使い捨てスティックの第二の変形例の概略上面図である。
【符号の説明】
【００５５】
１・・・すきまクリーナーセット、
２０、２２、２４・・・使い捨てスティック、
２２ａ、２４ａ・・・鋭角部分、
２４ｂ・・・切断部分、
３０・・・洗浄スプレー、
３２・・・スプレー本体、
３４・・・スプレーボタン。
【図１】
0003137014.tif 000003
【図２】
0003137014.tif 000004
【図３】
0003137014.tif 000005
【図４】
0003137014.tif 000006